(57)【要約】【課題】来訪者がドアホンから呼び出した場合に、看護師が来訪者の映像をナースコール親機のモニタで確認しながら携帯端末で来訪者と通話できるようにする。【解決手段】制御機６のＣＰＵ６１は、携帯端末５からのドアホン２への応答信号を受信すると、ナースコール親機９のＣＰＵ９５へ制御信号を送信し、ドアホン２のカメラ２１の映像をナースコール親機９のモニタ９１に継続的に出画させた状態で、ドアホン２と携帯端末５との間に通話路を形成する。【選択図】図１
2018129656.tif 000002
【特許請求の範囲】
【請求項１】
カメラを備えたドアホンと、前記カメラの映像を出画するモニタを備えたナースコール親機と、看護師が携帯する携帯端末と、前記ドアホンからの呼び出しを前記ナースコール親機および前記携帯端末へ転送する制御手段を備え、
前記ドアホンからの呼び出しへ前記携帯端末が応答したときに、前記制御手段が、前記カメラの映像を前記ナースコール親機のモニタへ出画させた状態で、前記ドアホンと前記携帯端末との間に通話路を形成する制御を行うことを特徴とするナースコールシステム。
【請求項２】
患者が看護師を呼び出すナースコール子機を備え、
前記ナースコール子機からの呼び出しがなされたときに、前記制御手段が、前記ドアホンと前記携帯端末との間の通話路を開成した状態で、前記ナースコール子機からの呼び出しを前記ナースコール親機のモニタに表示させる制御を行う請求項１に記載のナースコールシステム。
【発明の詳細な説明】
【技術分野】
【０００１】
本発明は、病院や介護施設に設けられたナースコールシステム、特に、施設入口付近にドアホンを備え、ドアホンに来訪者を撮影するカメラを設け、カメラの映像をナースコール親機のモニタで確認しつつ来訪者と通話できるナースコールシステムに関する。
【背景技術】
【０００２】
近年、病院の入口付近にドアホンを備え、ドアホンからナースコール親機や看護師の携帯する携帯端末（以下、ナースコール親機等）を一斉に呼び出すことのできるナースコールシステムが知られている。例えば、特許文献１には、ドアホンに設けたカメラで来訪者を撮影し、ドアホンからナースコール親機等を呼び出すとともに、図７（ａ）に示すように、来訪者の映像９０をナースコール親機の表示部９１へ出画するナースコールシステムが開示されている。
【先行技術文献】
【特許文献】
【０００３】
【特許文献１】特開２０１４−０８６９８７号公報
【発明の概要】
【発明が解決しようとする課題】
【０００４】
しかし、特許文献１のナースコールシステムによれば、看護師がドアホンからの呼び出しに携帯端末で応答し、携帯端末とドアホンとの間で通話路が形成されると、図７（ｂ）に示すように、ナースコール親機のモニタ９１はカメラ映像の出画を終了させて通常表示９７に戻るため、看護師は通話中に相手をモニタで確認することができないという問題があった。また、スマートフォンのようにモニタを備えた携帯端末で応答した場合であっても、通話中はモニタ部分を耳に押し当ててしまうため、同じく通話中に来訪者の映像を確認できないという問題が生じていた。
【０００５】
そこで、本発明の目的は、看護師が携帯端末で通話しながら、来訪者の映像をナースコール親機のモニタで確認できるナースコールシステムを提供することにある。
【課題を解決するための手段】
【０００６】
上記課題を解決するために、本発明は次のような手段を提供する。
【０００７】
（１）カメラを備えたドアホンと、カメラの映像を出画するモニタを備えたナースコール親機と、看護師が携帯する携帯端末と、ドアホンからの呼び出しをナースコール親機および前記携帯端末へ転送する制御手段を備え、ドアホンからの呼び出しへ携帯端末が応答したときに、制御手段が、カメラの映像をナースコール親機のモニタへ出画させた状態で、ドアホンと携帯端末との間に通話路を形成する制御を行うことを特徴とするナースコールシステム。
【０００８】
（２）患者が看護師を呼び出すナースコール子機を備え、ナースコール子機からの呼び出しがなされたときに、制御手段が、ドアホンと携帯端末との間の通話路を開成した状態で、ナースコール子機からの呼び出しをナースコール親機のモニタに表示させる制御を行う（１）に記載のナースコールシステム。
【発明の効果】
【０００９】
本発明のナースコールシステムによれば、看護師がドアホンからの呼び出しに携帯端末で応答した後も継続してナースコール親機のモニタに来訪者の映像が映し出されるため、看護師は来訪者の様子を確認しながら通話できるという効果がある。また、来訪者との通話中にナースコール子機から呼び出しが入ると、ドアホンと携帯端末との間の通話路を開成した状態で、ナースコール親機のモニタにナースコール子機からの呼び出しを表示させるため、本来のナースコール機能を損ねることなく、ドアホンとの通話を継続できるという効果がある。
【図面の簡単な説明】
【００１０】
【図１】本発明の一実施形態を示すナースコールシステムのシステム図である。
【図２】図１のナースコールシステムの構成を示すブロック図である。
【図３】ナースコール親機のモニタに表示される画面を示す模式図である。
【図４】ナースコール子機が呼び出したときのモニタ表示画面を示す模式図である。
【図５】ドアホンとの通話中の様子を示す模式図である。
【図６】制御機の動作を示すフローチャートである。
【図７】従来技術を示す模式図である。
【発明を実施するための形態】
【００１１】
以下、本発明をナースコールシステムに具体化した一実施形態を図面に基づいて説明する。図１、図２に示すように、この実施形態のナースコールシステム１は、病院入口に設けられたドアホン２と、ナースステーションに設置されたナースコール親機９と、看護師が携帯するＰＨＳやスマートフォン等を含む携帯端末５と、管理室等に設置された制御機６と、サーバ室等に設置されたＩＰ−ＰＢＸ等の中継装置３と、病院内各所に配置された基地局４と、廊下に設置された廊下灯７と、患者ベッド近傍に設けられたナースコール子機８とから構成されている。なお、図２においては中継装置３、基地局４、廊下灯７については省略している。
【００１２】
ドアホン２には、来訪者や病院入口近傍を撮影するカメラ２１、マイクやスピーカーを含む通話部２２、呼出ボタン２３およびドアホン２の動作を制御するＣＰＵ２５が設けられている。
【００１３】
ナースコール親機９には、メインモニタおよびサブモニタを含む１台ないし複数台のモニタ９１、マイクやスピーカーを含む通話部９２、受話器等の応答操作部９３および終話操作部９４、ナースコール親機９の動作を制御するＣＰＵ９５が設けられている。
【００１４】
ナースコール子機８には、看護師を呼び出す呼出ボタン８２、マイクやスピーカーを含む通話部８１、ナースコール子機の動作を制御するＣＰＵ８４が設けられている。
【００１５】
携帯端末５には、マイクやスピーカーを含む通話部５２、看護師が呼び出しに応じる応答ボタン５３、通話を終了させる終話ボタン５４が設けられている。なお、携帯端末５としてスマートフォン等の携帯情報端末を用いた場合には、各種操作メニューや通話相手を表示可能なモニタ５１が設けられ、モニタ上に応答ボタン５３や終話ボタン５４を表示させることも可能である。
【００１６】
制御機６は、ナースコールシステム１の全体的な動作を制御するＣＰＵ６１を備えている。ＣＰＵ６１は、ドアホン２から呼び出しがあったときに、その呼出信号をドアホン２からナースコール親機９および携帯端末５へ転送するとともに、カメラ２１の映像をナースコール親機９や携帯端末５へ送信する機能を備える。また、携帯端末５がドアホン２からの呼び出しに応答したときには、ＣＰＵ６１が、カメラ２１の映像をナースコール親機９のモニタ９１へ出画させた状態で、ドアホン２と携帯端末５との間に通話路を形成する制御を行う。
【００１７】
さらに、制御機６のＣＰＵ６１は、ナースコール子機８からの呼出信号をナースコール親機９および携帯端末５へ転送する機能も備えている。そして、看護師が携帯端末５でドアホン２と通話をしている間に、ナースコール子機８からの呼び出しが発生したときには、ＣＰＵ６１が、ドアホン２と携帯端末５との間に通話路を形成した状態で、カメラ映像のモニタ９１への出画を停止し、ナースコール子機８からの呼び出しをモニタ９１へ表示する制御を行うようになっている。
【００１８】
次に、上記構成のインターホンシステムの動作について図３〜図７に基いて説明する。来訪者がドアホン２の呼出ボタン２３を押下すると（図６：Ｓ１）、ドアホン２のＣＰＵ２５は、呼出信号およびカメラ２１の映像をインターフェース２６，６２を介して制御機６のＣＰＵ６１へ送信する。ＣＰＵ６１は、受信した呼出信号およびカメラ２１の映像をインターフェース９６，５６を介してナースコール親機９および携帯端末５のＣＰＵ９５，５５へ転送するとともに、カメラ２１の映像をモニタ９１，５１へ出画させる制御信号をＣＰＵ９５，５５へ送信する。ＣＰＵ９５，５５は、制御機６からの信号および映像を受信すると看護師を呼び出すとともに、図３（ａ）に示すように、モニタ５１，９１へカメラ２１の映像２７を出画する（図６：Ｓ２）。
【００１９】
看護師がナースコール親機９の受話器（応答操作部９３）からドアホン２へ応答した場合のその後の動作については、従来と同様であるため省略する。看護師が携帯端末５の応答ボタン５３を操作してドアホン２へ応答した場合、ＣＰＵ５５は、インターフェース５６，６２を介して応答信号を制御機６のＣＰＵ６１へ送信する。携帯端末５からの応答信号を受信したＣＰＵ６１は、ナースコール親機９のＣＰＵ９５に制御信号を送信し、図３（ｂ）に示すように、ドアホン２のカメラ２１の映像２７をモニタ９１へ継続的に出画させた状態で、ドアホン２と携帯端末５との間に通話路を形成する（図６：Ｓ４）。
【００２０】
以上のナースコールシステム１によれば、看護師が携帯端末５からドアホン２への応答を行ない、携帯端末５とドアホン２の間に通話路が形成された後も継続してカメラ２１の映像がナースコール親機９のモニタ９１へ出画されるため、図５に示すように、看護師Ｎは来訪者Ｐの様子を確認しつつ通話できるという効果がある。
【００２１】
ここで、ドアホン２と携帯端末５またはナースコール親機９との通話中には、図４（ａ）に示すように、映像２７がモニタ９１に表示されているところ、ナースコール子機８の呼出ボタン８２が操作されると（図６：Ｓ５，あり）、ナースコール子機８のＣＰＵ８４はインターフェース８５，６２を介して呼出信号を制御機６のＣＰＵ６１へ送信する。ＣＰＵ６１は、ドアホン２と携帯端末５との間の通話路を開成したままの状態で、受信した呼出信号をナースコール親機９および携帯端末５へ送信するとともに、ナースコール親機９のＣＰＵ９５へ制御信号を送信し、モニタ９１に表示されているカメラ２１の映像の出画を終了させる（図６：Ｓ６）。その後、図４（ｂ）に示すように、ナースコール親機９のＣＰＵ９５は、モニタ９１へナースコール子機８の呼び出し画面９７を表示する（図６：Ｓ７）。
【００２２】
一方、通話中にナースコール子機８からの呼び出しがなかった場合には（図６：Ｓ５，なし）、ナースコール親機９のモニタ９１には、ドアホン２のカメラ２１の映像が継続して表示されている。そして、携帯端末５の終話ボタン５４が操作されると（図６：Ｓ８）、ＣＰＵ６５は、携帯端末５のＣＰＵ５５から通話終了信号を受信し、ナースコール親機９のモニタ９１へのカメラ２１の出画を終了させる（図６：Ｓ９）。
【００２３】
以上のナースコールシステム１によれば、ドアホン２との通話中にナースコール子機８から呼び出しがあった場合には、モニタ９１へのカメラ２１の映像の出画を終了させ、ナースコール子機８からの呼び出しを優先的に表示させるため、従来のナースコールシステム１の機能を損ねることなく、ドアホン２との通話を継続できるという効果もある。
【００２４】
なお、本発明は、上記実施形態に限定されるものではなく、例えば、ナースコール親機９のモニタ９１へカメラ２１の映像を出画中にナースコール子機８から呼び出しがあった場合に、カメラ２１の映像に重ねてナースコール子機８からの呼び出しを表示したり、カメラ２１の映像とナースコール子機８からの呼び出しをメインモニタおよびサブモニタからなる別々の表示部に表示したりしても良い。その他、本発明の趣旨を逸脱しない範囲で、各部の構成を任意に変更して実施することも可能である。
【符号の説明】
【００２５】
１    ナースコールシステム
２    ドアホン
５    携帯端末
６    制御機
８    ナースコール子機
９    ナースコール親機
２１    カメラ
９１    モニタ
【図１】
2018129656.tif 000003
【図２】
2018129656.tif 000004
【図３】
2018129656.tif 000005
【図４】
2018129656.tif 000006
【図５】
2018129656.tif 000007
【図６】
2018129656.tif 000008
【図７】
2018129656.tif 000009